(57)【要約】【課題】  タッチレリーズ操作が可能な撮像装置において、撮影中に撮影姿勢を変更しても、誤操作を起こしにくい撮像装置を提供すること。【解決手段】  撮影者の指によるタッチ操作を検知できるタッチレリーズ操作部材（１２）と、タッチ操作による出力値を判定するタッチ操作出力値判定手段（１１１）と、該タッチ操作出力値判定手段（１１１）の出力結果に基づいて、撮像装置の状態変更を行う撮像装置制御手段（１０４）と、撮像装置（１）本体の動きを検知可能な姿勢検出手段（１１３）と、を有する撮像装置（１）において、該撮像装置制御手段（１０４）は、タッチ操作出力値判定手段の出力結果に対し、第一閾値（Ｔｈｒｅｓｈ１）と、第一閾値よりも大きい第二閾値（Ｔｈｒｅｓｈ２）の２つの値を有し、該姿勢検出手段（１１３）による特定の出力値（ｃ）以上の姿勢変化を検出している間は、タッチレリーズ操作部材（１２）への入力を受け付けないことを特徴とする。【選択図】  図１
2020134792.tif 000002
【特許請求の範囲】
【請求項１】
撮影者の指によるタッチ操作を検知できるタッチレリーズ操作部材（１２）と、
タッチ操作による出力値を判定するタッチ操作出力値判定手段（１１１）と、
該タッチ操作出力値判定手段（１１１）の出力結果に基づいて、撮像装置の状態変更を行う撮像装置制御手段（１０４）と、
撮像装置（１）本体の動きを検知可能な姿勢検出手段（１１３）と、
を有する撮像装置（１）において、
該撮像装置制御手段（１０４）は、タッチ操作出力値判定手段の出力結果に対し、第一閾値（Ｔｈｒｅｓｈ１）と、第一閾値よりも大きい第二閾値（Ｔｈｒｅｓｈ２）の２つの値を有し、該姿勢検出手段（１１３）による特定の出力値以上の姿勢変化を検出している間は、タッチレリーズ操作部材（１２）への入力を受け付けないことを特徴とする撮像装置。
【請求項２】
姿勢検出手段（１１３）は仰角方向または俯角方向へ回転変化を検知している場合、タッチレリーズ操作部材（１２）は、撮像装置前面方向または背面方向のみ入力を受け付けないことを特徴とする請求項１に記載の撮像装置（１）およびその制御。
【請求項３】
姿勢検出手段（１１３）は浮遊方向また落下方向へ移動変化を検知している場合、タッチレリーズ操作部材（１２）は、撮像装置前面方向または背面方向のみ入力を受け付けないことを特徴とする請求項１に記載の撮像装置（１）およびその制御。
【発明の詳細な説明】
【技術分野】
【０００１】
本発明は、撮像装置に関し、特にタッチ操作可能なレリーズボタンを有する撮像装置に関する。
【背景技術】
【０００２】
従来の撮像装置では、撮影のためにグリップした状態で設定変更をする場合、人差し指や親指の近傍に配置される設定変更釦や、回転ダイヤルなどの操作部材を使用するのが一般的であった。
【０００３】
ところで、撮影時に撮影者は、人差し指をレリーズボタン上に置き、親指は、撮像装置背面に配置された背面ラバーや、ＡＦＡＥ開始釦などの操作部材に置くことが一般的である。この状態から設定変更をするためには、一旦設定変更釦や、回転ダイヤルなどに指を置き直す必要があった。そのため、指を置き直している間に決定的瞬間を撮り逃してしまう可能性があった。また、特にファインダを覗いた状態で設定を変更する場合は、操作部材を目視できない状態で操作しなければならず、指を置き直すときに操作ミスをする可能性があった。そのため、撮影時に指を置き直したりせずに、設定変更を容易に行えるような操作部材が求められている。
【０００４】
特許文献１に開示されている撮像装置は、撮像装置背面から上面にわたって連続的に配設されたタッチパネル上に操作釦を表示させる撮像装置である。前記操作釦はズーム釦を兼ねたレリーズ釦であり、操作釦への押圧力が所定の閾値以上の場合に、レリーズ動作を、所定閾値以下の場合に指位置に応じたズーム動作を行わせることを特徴とする撮像装置が開示されている。
【先行技術文献】
【特許文献】
【０００５】
【特許文献１】特許第０５０４２９３８号公報
【発明の概要】
【発明が解決しようとする課題】
【０００６】
しかしながら、上記の特許文献１に開示された従来技術では、誤操作が発生するケースが考えられる。例えば、ユーザーはレリーズ釦に指を置いたまま撮影をする必要があるため、撮影姿勢を変える際にユーザーが意図しない方向に力を込めてしまう場合である。この場合、ユーザーの指が動いた直後にタッチスイッチが反応し、あらかじめ設定されていた信号が出力してしまう。これは、ユーザーが意図しない動作、つまり誤操作となる可能性が高いと考えられる。
【０００７】
そこで、本発明の目的は、タッチレリーズ操作が可能な撮像装置において、撮影中に撮影姿勢を変えても誤操作を起こしにくいことを可能にした撮像装置およびその制御を提供することにある。
【課題を解決するための手段】
【０００８】
上記の目的を達成するために、本発明に係る撮像装置は、
撮影者の指によるタッチ操作を検知できるタッチレリーズ操作部材と、
タッチ操作による出力値を判定するタッチ操作出力値判定手段と、
該タッチ操作出力値判定手段の出力結果に基づいて、撮像装置の状態変更を行う撮像装置制御手段と、
撮像装置本体の動きを検知可能な姿勢検出手段と、
を有する撮像装置において、
該撮像装置制御手段は、タッチ操作出力値判定手段の出力結果に対し、第一閾値と、第一閾値よりも大きい第二閾値の２つの値を有し、該姿勢検出手段による特定の出力値以上の姿勢変化を検出している間は、タッチレリーズ操作部材への入力を受け付けないことを特徴とする。
【発明の効果】
【０００９】
本発明によれば、タッチレリーズ操作が可能な撮像装置において、撮影中に撮影姿勢を変更しても、誤操作を起こしにくい撮像装置の提供を実現できる。
【図面の簡単な説明】
【００１０】
【図１】本発明の実施例である撮像装置の撮影に於けるプロセス制御フロー図
【図２】本発明の実施例である撮像装置のシステム構成図
【図３】（ａ）は本発明の実施例である撮像装置の前面方向全体斜視図、（ｂ）は本発明の実施例である撮像装置の背面方向全体斜視図
【図４】（ａ）は本発明の実施例であるタッチレリーズ操作部材の部分斜視図、（ｂ）は本発明の実施例であるタッチレリーズ操作部材の裏面視部分斜視図、（ｃ）は本発明の実施例であるタッチレリーズ操作部材の部分分解斜視図、（ｄ）は本発明の実施例であるタッチレリーズ操作部材の裏面部部分分解斜視図、（ｅ）は本発明の実施例であるタッチタッチレリーズ操作部材のタッチ検出部１２ｂの構成図、（ｆ）は本発明の実施例であるタッチレリーズ操作部材の測距点と感度領域の対応図
【図５】本発明の実施例である撮像装置のタッチ操作部材の押下方向操作時の操作力と静電容量閾値を示した図
【発明を実施するための形態】
【００１１】
以下、本発明を実施するための形態について、図面を参照しながら説明する。
【実施例１】
【００１２】
図１から図５を参照して、本発明の第１の実施例による、撮像装置について説明する。なお、図１〜５で共通する部分には同一の符号を付す。
【００１３】
図２は本実施形態における撮像装置のシステム構成図である。
【００１４】
まず図２を用いて本実施形態における撮像装置のシステム構成を説明する。
【００１５】
撮像装置１に内蔵されたマイクロコンピュータからなる中央処理装置（以下、「ＭＰＵ」と称する）１０１は、カメラの動作制御を司るものであり、各要素に対して様々な処理や指示を実行する。本体メモリ１０２には、各種カメラ設定値を記憶することができる。
【００１６】
ＭＰＵ１０１には、ミラー駆動回路１０３、スイッチセンス回路１０４、焦点検出回路１０５、撮像信号処理回路１０９が接続されている。これらの回路は、ＭＰＵ１０１の制御により動作するものである。ＭＰＵ１０１は、撮影レンズユニット２内のレンズ制御回路２０１とマウント接点１３を介して通信を行う。
【００１７】
マウント接点１３は、撮影レンズユニット２が接続されるとＭＰＵ１０１へ信号を送信する機能も有する。これにより、レンズ制御回路２０１は、ＭＰＵ１０１との間で通信を行い、撮影レンズユニット２内の撮影レンズ２０２の駆動を行い被写体の焦点を合わせることができる。
【００１８】
メインミラー３は、図３に示す撮影レンズ光軸２ａに対して４５°の角度に保持された状態で、撮影レンズユニット２を通過する撮影光束をファインダユニット７へ導くと共に、その一部を透過させてサブミラー４へ導く。サブミラー４で反射された撮影光束は焦点検出センサ５に導光され、位相差方式の焦点検出を行う。前記焦点情報は、焦点検出回路１０５へ供給され、信号に基づいて焦点検出演算を行い、デフォーカス量及びデフォーカス方向を求め、これに基づいて、レンズ制御回路２０１を介して撮影レンズユニット２０２を合焦位置まで駆動する。
【００１９】
撮像ユニット８は、被写体像を光電変換する撮像素子を有し、ＣＣＤ型、ＣＭＯＳ型及びＣＩＤ型等様々な形態があり、いずれの形態の撮整像デバイスを採用してもよい。
【００２０】
ミラー駆動回路１０３は、例えばＤＣモータとギヤトレイン等によって構成され、メインミラー３を、ファインダにより被写体像を観察可能とする位置と、撮影光束から待避する位置とに駆動する。
【００２１】
ファインダユニット７は、メインミラー３により反射された撮影光束を正立正像に変換反射する。撮影者はファインダユニット７を介して被写体像を観察することができる。また、ファインダ内表示ユニット６によって、選択中の測距点情報などの撮影条件表示を確認することができる。
【００２２】
クランプ／ＣＤＳ（相関二重サンプリング）回路１０６は、Ａ／Ｄ変換する前の基本的なアナログ処理を行うものであり、クランプレベルを変更することも可能である。
【００２３】
ＡＧＣ１０７（自動利得調整装置）は、Ａ／Ｄ変換する前の基本的なアナログ処理を行うものであり、ＡＧＣ基本レベルを変更することも可能である。
【００２４】
Ａ／Ｄ変換器１０８は、撮像ユニット８のアナログ出力信号をデジタル信号に変換する。
【００２５】
撮像信号処理回路１０９は、デジタル化された画像データに対してガンマ／ニー処理、フィルタ処理、ハードウエアによる画像処理全般を実行する。この撮像信号処理回路１０９からのモニタ表示用の画像データは、表示装置駆動回路１１０を介して表示部材９に表示される。
【００２６】
スイッチセンス回路１０４は、各スイッチの操作状態に応じて入力信号をＭＰＵ１０１に送信する。測距点選択ボタン１０は押下により、測距点を撮影者による任意の位置に移動することができる状態に遷移することができる。
【００２７】
ジャイロセンサ１１３は撮像装置１の動きや姿勢を検出することができ、後述する出力値により、タッチレリーズ操作部材１２への入力を制御することができる。
【００２８】
次に図３を用いて本実施形態における撮像装置の全体構成について説明する。
【００２９】
図３（ａ）は、撮像装置の前面斜視図であり、図３（ｂ）は、撮像装置の背面斜視図である。
【００３０】
撮像装置１には、撮影レンズユニット２が不図示のレンズマウントによって接続されている。撮像装置１には種々の操作部材が配置されている。
【００３１】
１２はタッチレリーズ操作部材である。タッチレリーズ操作部材１２の構成については、図４を用いて後述説明する。カメラ背面部には、ファインダユニット７、測距点選択ボタン１０が配されている。
【００３２】
次に図４を用いて本実施形態におけるタッチレリーズ操作部材１２の構成について説明する。
【００３３】
図４（ａ）は、本発明の実施例であるタッチレリーズ操作部材の部分斜視図である。図４（ｂ）は、本発明の実施例であるタッチレリーズ操作部材の裏面視部分斜視図である。
図４（ｃ）は、本発明の実施例であるタッチレリーズ操作部材の部分分解斜視図である。図４（ｄ）は、本発明の実施例であるタッチレリーズ操作部材の裏面部部分分解斜視図である。
【００３４】
タッチレリーズ操作部材１２は、撮像装置の外部筐体の一部がタッチ操作可能な状態で構成されている操作部材であり、１２ａの範囲がタッチ操作可能部となっている。タッチ操作可能部１２ａを覆うようにタッチ操作検出部１２ｂが接着剤等のタッチ検出部固定部材１２ｃによって外部筐体の裏面に固定されている。上記のようにタッチレリーズ操作部が外部筐体によって構成される為、外部筐体にボタン設定用の穴を設ける必要が無く、防塵防滴性能及び外観意匠の自由度を向上することができる。また撮影者が撮像装置を把持した際に、自然に人差し指がおかれる位置にタッチ操作可能部１２ａを設定することで、カメラ設定変更を行う際にも、常に安定した把持状態を維持することが可能になる。その為、操作性が良くかつ決定的瞬間を取り逃さない撮像装置を提供することが可能になる。
【００３５】
次にタッチ操作検出部１２ｂの構成について、図４（ｅ）を用いて説明する。
【００３６】
図４（ｅ）は、本発明の実施例であるタッチレリーズ操作部材１２のタッチ操作検出部１２ｂの構成図である。
【００３７】
タッチ操作検出部１２ｂは、ポリイミドのベース部対して、銅箔によりパターン形成されたいわゆるフレキシブルプリント基板（＝ＦＰＣ）によって構成されている。タッチ操作可能部１２ａ全体を覆うタッチ操作検出部１２ｂの外形内には、上下左右４箇所において、銅パターン（１２ｂ−１、１２ｂ−２、１２ｂ−３、１２ｂ−４）が形成されている。上側検出部として、銅パターン１２ｂ−１が、下側検出部として、銅パターン１２ｂ−３が、右側検出部として、銅パターン１２ｂ−２が、左側検出部として、銅パターン１２ｂ−４が対応している。上記銅パターンはそれぞれタッチセンス回路１１１に接続され、上下左右それぞれの検出部の静電容量の変化を検出する。タッチセンス回路１１１は検出した出力値について判定する機能も兼ねている。
【００３８】
出力結果のバランスにより撮影者の指によるタッチレリーズ操作部材１２への接触の位置及び面積を検出する。
【００３９】
次にタッチ操作と測距点選択の対応について、図４（ｆ）を用いて説明する。
【００４０】
図４（ｆ）は、本発明の実施例である操作部材の測距点と感度領域の対応図である。
【００４１】
６ａはファインダユニット７内に表示されたファインダ表示ユニット上に表示される測距点表示である。撮像装置の測距点数が例えば９点であった場合、測距点のレイアウトは図４（ｆ）に示すように菱形上にレイアウトされる。測距点表示６ａ全体を覆う範囲とタッチ操作可能部１２ａ全体が対応するように設定されている。タッチ操作可能部１２ａは測距点表示６ａのレイアウトに対応して、縦横５×５の２５マスのエリアに分けられている。例えば、撮影者の指によるタッチレリーズ操作部材１２へのタッチがＡＲＥＡ  Ｔの範囲で行われた場合、タッチエリアは（Ｘ４、Ｙ４）が選択されれそのエリアに対応した左下測距点が選択される構成となっている。
【００４２】
次に図５を用いて、タッチレリーズ操作部材１２のタッチ操作力Ｆと静電容量変化に対する閾値設定の関係について説明する。
【００４３】
図５は、本発明の実施例である撮像装置のタッチ操作部材の押下方向操作時の操作力Ｆと静電容量出力値Ｓを示した図である。
【００４４】
タッチ操作力Ｆが増加するとタッチレリーズ操作部材１２に対して撮影者の指の設置面積が増加し、それに比例して静電容量出力値Ｓも大きくなる。撮影者の指のタッチ操作力Ｆの値に応じて、カメラ制御状態は下記の３つの状態を遷移する。一つ目は、撮影者の指のタッチ位置に応じて測距点を選択する測距点選択状態（以下ＳＷ０、測距点選択状態）である。二つ目は、選択された測距点位置での被写体測距（＝ＡＦ）及び測光（＝ＡＥ）を行う撮影準備前動作状態（以下ＳＷ１、撮影前動作状態）である。三つ目は選択された測距点位置での撮影を行う撮影状態である（以下ＳＷ２、撮影状態）。第一閾値（Ｔｈｒｅｓｈ１）は、測距点選択状態から撮影前動作状態に遷移する閾値であり、第二閾値（Ｔｈｒｅｓｈ２）は、撮影前動作状態から撮影状態に遷移する閾値である。押下方向の操作が行われる際の第一、第二閾値はそれぞれＴｈｒｅｓｈ１＝ａ１、Ｔｈｒｅｓｈ２＝ｂ１の値が設定されている。
【００４５】
次に図１を用いて、撮影時の制御フローについて説明する。
【００４６】
図１は、本発明の実施例である撮像装置の撮影に於けるプロセス制御フロー図である。
【００４７】
撮像装置の電源が入れられ、撮影を行う為に撮影者がカメラを構えた状態をスタート状態とする（Ｓ６０１）。撮影者によって測距点選択ボタン１０が押下されたか否かを判定する（Ｓ６０２）。まず、測距点選択ボタン１０の押下があった場合のフローについて説明する。測距点選択ボタン１０が押下された場合は、静電容量出力値ＳがＳ＞０であるかを判定する（Ｓ６０３）。Ｓ＞０でない場合は撮影者からの操作が無いものと判定し、撮影は終了する（Ｓ６２０）。Ｓ＞０である場合は撮影者の指による操作を検出し（Ｓ６０４）指の位置に追従して測距点を移動する（Ｓ６０６）。
【００４８】
但しこの時、撮像装置の姿勢変化出力Ｐが特定の閾値を超えた時には指による操作入力を無視する（Ｓ６０５）。これにより、ユーザーは姿勢を変える際に意図せず指を動かし、意図しない入力をしてしまうことを防止できる。
【００４９】
次に静電容量出力値Ｓがａ１≦Ｓ＜ｂ１であるかを判定し、ａ１≦Ｓ＜ｂ１の場合は指の位置の対応した測距点を選択された測距点として設定する（Ｓ６０８）。ａ１≦Ｓ＜ｂ１でない場合は、指の位置に追従した測距点移動を続ける。
【００５０】
次に撮影者の指による操作を検出し（Ｓ６０９）指の位置に追従して撮影準備動作（ＡＦ／ＡＥ）を行う（Ｓ６１１）。
【００５１】
但しこの時、撮像装置の姿勢変化出力Ｐがｃ≦Ｐの時は指による操作入力を無視する（Ｓ６１０）。これにより、ユーザーは姿勢を変える際に意図せず指を動かし、意図しない入力をしてしまうことを防止できる。
【００５２】
測距点選択ボタンの押下が無かった場合は、前回撮影時の測距点を選択された測距点として設定する（Ｓ６１４）。次に静電容量出力値ＳがＳ＞０であるかを判定する（Ｓ６１５）。Ｓ＞０でない場合は撮影者からの操作が無いものと判定し、撮影は終了する（Ｓ６２０）。Ｓ＞０である場合は撮影者の指による操作を検出し（Ｓ６０４）、設定された測距点での撮影準備動作（ＡＦ／ＡＥ）を行う（Ｓ６０６）。
【００５３】
次に静電容量出力値ＳがＳ＞ｂ１であるかの判定を行う（Ｓ６１２）。Ｓ＞ｂ１の場合は選択された測距点位置での撮影を開始する（Ｓ６１３）。Ｓ＞ｂ１でない場合は、設定された測距点での撮影準備動作（ＡＦ／ＡＥ）を続ける。
【００５４】
ここでは姿勢変化出力が特定の値ｃの時に指による操作入力を無視したが、ｃは例えば撮像装置が仰角また俯角の変化をしている時に限定し、無視するタッチ操作も撮像装置前面方向または背面方向のみとしても良い。これにより、特定の誤操作のみを防止し、普段の操作への影響を与えないことが可能となる。
【００５５】
また、異なる実施例として、撮像装置が浮遊方向また落下方向の変化をしている時に限定し、無視するタッチ操作も撮像装置前面方向または背面方向のみとしても良い。
【００５６】
ここでは、タッチパネル１２ｂの構成について比較的容易な構成である４つのパターンから指の動作方向や押圧の強弱を検出する方法を説明したが、投影型や表面型の静電容量検出方式や押圧によって出力値が変化する感圧式センサを使用してもよい。
【００５７】
以上、本発明の好ましい実施形態について説明したが、本発明はこれらの実施形態に限定されず、その要旨の範囲内で種々の変形及び変更が可能である。
【００５８】
（他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５９】
１  撮像装置、２  撮影レンズユニット、２ａ  撮影レンズ光軸、
３  メインミラー、４  サブミラー、５  焦点検出センサ、
６  ファインダ内表示ユニット、６ａ  測距点表示、７  ファインダユニット、
８  撮像ユニット、９  表示部材、１０  測距点選択ボタン、
１２  タッチレリーズ操作部材、１２ａ  タッチ操作可能部、
１２ｂ  タッチ操作検出部、１２ｃ  タッチ検出部固定部材、
１３  マウント接点、１０１  ＭＰＵ、１０２  本体メモリ、
１０３  ミラー駆動回路、１０４  スイッチセンス回路（撮像装置制御手段）、
１０５  焦点検出回路、１０６  クランプ／ＣＤＳ回路、１０７  ＡＧＣ、
１０８  Ａ／Ｄ変換器、１０９  撮像信号処理回路、１１０  表示装置駆動回路、
１１１  タッチセンス回路（タッチ操作出力値判定手段）、
１１３  ジャイロセンサ（姿勢検出手段）、２０１  レンズ制御回路、
Ｆ  タッチ操作力、Ｓ  静電容量出力値、Ｒ  姿勢検出出力値、
ＳＷ０  測距点選択状態、ＳＷ１  撮影前動作状態、ＳＷ２  撮影状態
【図１】
2020134792.tif 000003
【図２】
2020134792.tif 000004
【図３】
2020134792.tif 000005
【図４】
2020134792.tif 000006
【図５】
2020134792.tif 000007